(57)【要約】【課題】取り付け場所を限定せず、容易に鳥類による営巣を防止する営巣防止装置を提供する。【解決手段】バンド１１ａおよびバンド１１ｂを鉄塔材２０Ａの外部側面に巻きつけて、本体部１３を鉄塔材２０Ａに取り付ける。本体部１３に、ねじ部分にボルト開口部が設けられたボルト１４を所定間隔をおいて３つ取り付け、これら３つのボルト開口部にそれぞれ変形自在な細線１５の一端を５本ずつ取り付けて、ナット１６を用いて本体部１３に固定する。一端が固定された複数の細線１５は、固定点を中心として、下向きに放射状に広がるようにし、障害物がある場合は、細線１５を変形させることで障害物との接触を回避し、複数の細線１５が鳥類が営巣しやすい場所に当たるように、バンド１１ａおよびバンド１１ｂを鉄塔材の適当な位置に巻きつけて、本体部１３を鉄塔材に取り付ける。【選択図】        図３
2007159537.tif 000002
【特許請求の範囲】
【請求項１】
鳥類による営巣を防止する装置であって、鉄塔を構成する鉄塔材に取り付けられるバンド部と、
上記バンド部に取り付けられる本体部と、
上記本体部に一端が固定され、上記一端が固定された固定点を中心として下方向に放射状に広げられた複数本の変形自在な細線と
を有することを特徴とする営巣防止装置。
【請求項２】
上記細線は螺旋状に変形されている
ことを特徴とする請求項１に記載の営巣防止装置。
【請求項３】
上記細線の一端は、固定部材を用いて上記本体部に固定されており、
上記固定部材は、
上記細線の一端を取り付けるための開口部が設けられたボルト部材と、
上記細線の一端が取り付けられた上記ボルト部材を上記本体部に固定するとともに、上記ボルト部材に取り付けられた上記細線の一端が外れないように固定するナット部材とを備える
ことを特徴とする請求項１に記載の営巣防止装置。
【発明の詳細な説明】
【技術分野】
【０００１】
この発明は、鳥類による鉄塔上の営巣を防止するための営巣防止装置に関するものである。
【０００２】
詳しくは、この発明は、バンド部を用いて鉄塔材に取り付けられる本体部に、変形自在な複数本の細線の一端が固定され、これら複数本の細線が固定点を中心に下方向に放射状に広げられることによって、障害物を回避して取り付けることが可能であるとともに、容易に鳥類による営巣を防止することを可能とした営巣防止装置に係わるものである。
【背景技術】
【０００３】
従来、送電線鉄塔等においては、カラス等の鳥類が飛来し、枝や針金等を用いて行われる営巣が送電事故を誘発し、非常に危険であった。このような鳥類による営巣を防止するため、従来から様々な装置を取り付けることによって営巣対策がなされていたものの、コストがかかる上、このような装置を鉄塔に取り付けることによって鉄塔の作業時に邪魔になり、作業効率を悪化させることが多かった。
【０００４】
そこで、特許文献１では、鳥類の飛来および営巣を防止するため、図６に示すような、放射状に展開させた複数本の細線３３を結束金具３２で結束してステンレス鋼ベルト３１に取り付け、ステンレス鋼ベルト３１を鉄塔４０に巻きつけた放射型鳥害防止装置３０が提案されている。
【０００５】
結束金具３２で結束された細線３３は、ポリエチレンテレフタートで構成されており、図６に示すように、結束金具３２を中心として、放射状に展開されていた。
【０００６】
【特許文献１】実用新案登録３０９６８２４号公報
【発明の開示】
【発明が解決しようとする課題】
【０００７】
しかし、特許文献１の発明は、上述したように、細線がポリエチレンテレフタートで構成されており、変形することができなかったため、細線を直線状に取り付けることしかできなかった。このため、取り付け場所付近に障害物があるような場合には、障害物に細線が当たってしまうことがあり、取り付け場所が限定された。
【０００８】
この発明の目的は、取り付け場所付近に障害物がある場合でも障害物を回避して取り付けが可能であり、鳥類による営巣を容易に防止する営巣防止装置を提供することにある。
【課題を解決するための手段】
【０００９】
この発明の概念は、
鳥類による営巣を防止する装置であって、鉄塔を構成する鉄塔材に取り付けられるバンド部と、
上記バンド部に取り付けられる本体部と、
上記本体部に一端が固定され、上記一端が固定された固定点を中心として下方向に放射状に広げられた複数本の変形自在な細線と
を有することを特徴とする営巣防止装置にある。
【００１０】
この発明において、バンド部は、送電鉄塔等の鉄塔を構成する鉄塔材に取り付けられる。また、バンド部には、営巣防止装置の本体部が取り付けられており、この本体部には、変形自在な細線の一端が固定されている。
【００１１】
細線の一端は、例えば、ボルト部材およびナット部材からなる固定部材を用いて本体部に固定されている。ボルト部材には、細線を取り付けるために開口部が設けられており、細線をこの開口部に通し、端部を例えば、折り曲げたり、ボルト部材に巻きつけたりすることによって、取り付けられる。
【００１２】
ボルトにこのような開口部が設けられていることで、細線を容易に取り付けることができる上、取り付ける場所に応じて取り付ける細線の本数を容易に調節することができる。
【００１３】
また、細線の一端が取り付けられたボルト部材は、本体部に取り付けられた後、ナット部材を用いることで、本体部から外れないように固定されるとともに、ボルト部材がナット部材に締められることで、細線の一端が簡単に外れないように固定される。
【００１４】
固定された複数の細線は、広い範囲を鳥類による営巣から守るために、固定点であるボルト部材およびナット部材を中心として、下方向に放射状に広げられる。このように広げることによって、広い範囲を鳥類による営巣からガードすることができる。
【００１５】
また、上述したように、細線は変形自在な材質（例えば、鋼材等）からなるので、取り付け場所付近に障害物があるような場合でも、その障害物に接触する細線を変形させることで、接触を容易に回避させることができ、取り付け場所を選ばない。
【００１６】
さらに、予め細線を螺旋状に変形させるようにしてもよい。螺旋状に変形された細線の一端は、上述した固定方法と同様に、本体部に固定され、複数本の細線は、固定点を中心として下方向に放射状に広げられる。
【００１７】
このように、細線を螺旋状に変形し、下方向に放射状に広げて取り付けることによって、より広い範囲をガードすることが可能となる上、さらに、細線を直線状に取り付ける場合よりも、細線の本数を少なくすることができるので、コストを低く抑えることができる。
【発明の効果】
【００１８】
この発明によれば、バンド部を用いて鉄塔材に取り付けられる本体部に、変形自在な複数の細線の一端が固定され、これら複数の細線が固定点を中心に下方向に放射状に広げられるものであり、障害物を回避して取り付けることが可能であるとともに、鳥類による営巣を容易に防止することができる。
【発明を実施するための最良の形態】
【００１９】
以下、図面を参照しながら、この発明の実施の形態について説明する。
【００２０】
図１は、第１の実施の形態としての、営巣防止装置１０の構成を示す図である。以下、図１を用いて営巣防止装置１０の構成を説明する。
【００２１】
営巣防止装置１０は、バンド１１ａ、バンド１１ｂ、本体部１３、ボルト１４、細線１５、およびナット１６によって構成されている。
【００２２】
バンド１１ａおよびバンド１１ｂは同じ長さであり、図３を用いて後述するが、鳥類等が営巣しやすい場所付近の鉄塔材の外部側面に巻きつけられることによって、取り付けられる。バンド１１ａおよびバンド１１ｂは、例えば、ステンレス鋼で構成されている。
【００２３】
本体部１３には、これらバンド１１ａを通すためのバンド通し部１２ａ、およびバンド１１ｂを通すためのバンド通し部１２ｂが所定間隔をおいて設けられている。これらのバンド通し部１２ａおよびバンド通し部１２ｂは、それぞれバンド１１ａおよびバンド１１ｂがスムーズに通り抜けができる程度の大きさであって、図１に示すように、バンド１１ａおよびバンド１１ｂがこれらバンド通し部１２ａおよびバンド通し部１２ｂを、それぞれ通されることによって、本体部１３がバンド１１ａおよびバンド１１ｂに取り付けられる。
【００２４】
本体部１３には、さらに、バンド通し部１２ａおよびバンド通し部１２ｂとの間に、固定部材である、ボルト１４およびナット１６を取り付けるために、図示しない貫通孔が、所定間隔をおいて３つ設けられている。  
ボルト１４は、３つの貫通孔にそれぞれ取り付けられ、これら３つのボルト１４には細線１５が５本ずつ取り付けられた後、それぞれナット１６を用いて本体部１３から抜け落ちないように固定される。
【００２５】
また、ボルト１４にナット１６が締められることで、ボルト１４に取り付けられた５本の細線１５の端部が簡単に外れて落ちないように固定される。
【００２６】
ボルト１４に取り付けられる細線１５は、各ボルト１４にそれぞれ５本ずつ取り付けられている。細線１５は、変形自在な材質、例えば、鋼材からなる。
【００２７】
次に、図２を用いてボルト１４への細線の取り付け方法について説明する。図２は、このとき２本の細線１５の一端が固定されるボルト１４の拡大図である。
【００２８】
図２においては、ボルト１４は上向きに示されている。ボルト１４のねじ部の中央には、細線１５の端部を取り付けるためのボルト開口部１４Ａが設けられている。また、ボルト開口部１４Ａには、部材１４Ｂが取り付けられているが、これは、ボルト開口部１４Ａが外部からの何らかの力が加えられたときに、閉じてしまわないように支えるための部材である。
【００２９】
図２に示すように、５本の細線１５は、部材１４Ｂの上部のボルト開口部１４Ａに入れられ、それぞれの端部がボルト開口部１４Ａの外に出されてから、横方向に折り曲げられるか、ボルト１４の側面に巻きつけられることによって、取り付けられる。５本の細線１５の一端がボルト開口部１４Ａに取り付けられた後、ナット１６によって外れないように、細線１５が部材１４Ｂおよびナット１６の間にしっかりと固定される。
【００３０】
なお、図２においては細線を２本のみ図示しているが、この場合、実際には５本の細線の端部が開口部１４Ａに取り付けられる。
【００３１】
このように開口部１４Ａに容易に細線１５を取り付けることができるので、営巣防止装置１０を取り付ける場所に応じて、細線１５の本数を容易に増やしたり減らしたりすることができる。
【００３２】
また、細線１５は、一端がボルト１４およびナット１６を用いて本体部１３に固定された後、固定点を中心として、下方向に放射状に広げられる。このように広げることによって、広い範囲を鳥類による営巣からガードすることができる。
【００３３】
なお、図１においては、１つのボルト１４につき５本の細線１５を取り付けたが、細線１５をより多く取り付けることによって、より広い範囲をガードすることができる。
【００３４】
図３は、営巣防止装置１０の使用状態を示す図である。次に、図３を用いて、営巣防止装置１０の使用例について説明する。
【００３５】
図３に示すように、営巣防止装置１０は、作業者によって、鳥類が営巣しやすく、巣があることで送電事故が起きやすい位置に細線１５が被さるように、バンド１１ａおよびバンド１１ｂが鉄塔材２０Ａの外部側面に巻きつけられることで、本体部１３が鉄塔材２０Ａに取り付けられる。
【００３６】
このように、営巣防止装置１０が鉄塔材２０Ａに取り付けられることによって、鳥類が営巣しやすい、鉄塔材２０Ａの周囲の鉄塔材２０Ｂおよび鉄塔材２０Ｃ付近をも、放射状に広げられた細線１５によって広くガードすることができ、鳥類による営巣を容易に防止することが可能となる。
【００３７】
また、図示しないが、障害物が例えば、鉄塔材２０Ｃに設置されているような場合においても、細線１５が変形自在な鋼材等で構成されるので、その障害物に接触する細線１５を変形させることで、接触を容易に回避でき、取り付け場所を選ばない。
【００３８】
次に、第２の実施の形態について説明する。図４は、第２の実施の形態としての営巣防止装置１０Ａの構成を示す図である。以下、図４を用いて営巣防止装置１０Ａについて説明する。
【００３９】
図４に示すように、バンド１１ａおよびバンド１１ｂ、さらに、本体部１３を構成するバンド通し部１２ａ、バンド通し部１２ｂ、ボルト１４、およびナット１６は、図１を用いて説明した営巣防止装置１０と同じであるので、説明を省略する。
【００４０】
ボルト１４は、図２を用いて説明したように、ボルト開口部１４Ａが設けられており、ここに細線１５Ａの一端が上述した方法を用いて取り付けられる。営巣防止装置１０Ａに取り付けられる細線１５Ａは、細線１５と材質は同じであるものの、図に示すように、予め螺旋状に変形されてから取り付けられる。細線１５Ａは、細線１５と同様に、下向きに放射状に広がるように取り付けられる。
【００４１】
図５は、第２の実施の形態としての、営巣防止装置１０Ａの使用状態を示す図である。図３を用いて説明した営巣防止装置１０の使用状態と同じであるので、詳しい説明は省略する。
【００４２】
図５に示すように、ボルト１４に取り付けられた螺旋状の細線１５Ａは、放射状に広げられている。営巣防止装置１０Ａでは、細線１５Ａが各ボルト１４に２本ずつしか取り付けられていないが、１本の細線１５Ａがガードする範囲が広いので、鉄塔材２０Ａの周囲の鉄塔材２０Ｂおよび鉄塔材２０Ｃ付近をも広くガードすることができる。
【００４３】
このように、細線１５Ａが螺旋状に変形されることによって、一つの細線１５Ａがガードする範囲が広いので、鳥類が営巣しやすい場所をより広くガードすることができ、効率がよい。また、図３に示すように、直線のままの細線１５を取り付ける場合よりも、螺旋状に変形された細線１５Ａを取り付けることで、少ない本数で同じだけの範囲をガードすることができるので、コストを低く抑えることができる。
【００４４】
なお、上述した実施の形態においては、図２に示すボルト１４およびナット１６を用いて細線１５、１５Ａを本体部１３に固定するようにしたが、細線１５、１５Ａを本体部１３に溶接するようにしてもよい。
【００４５】
また、上述した実施の形態においては、バンド１１ａおよびバンド１１ｂはステンレス鋼からなるとしたが、ゴム材等で構成されるようにして、取り付けられる鉄塔材の太さに応じて調整が簡単に行えるようにしてもよい。
【００４６】
さらに、本体部１３にバンド通し部１２ａ、１２ｂを設けて、バンド１１ａおよびバンド１１ｂを通すことによって、バンド１１ａおよびバンド１１ｂを本体部１３に取り付けるのではなく、バンド１１ａおよびバンド１１ｂと本体部１３をボルトおよびナットを用いて固定したり、接着剤等を用いて固定するようにしてもよい。
【産業上の利用可能性】
【００４７】
この発明は、障害物を回避して取り付け可能であるとともに、容易に鳥類による鉄塔上の営巣を防止できるものであり、鳥類による鉄塔上の営巣を防止する際に適用することができる。
【図面の簡単な説明】
【００４８】
【図１】第１の実施の形態としての営巣防止装置１０の構成を示した図である。
【図２】細線１５を取り付けるためのボルト１４の拡大図である。
【図３】第１の実施の形態である営巣防止装置１０の使用状態を示した図である。
【図４】第２の実施の形態としての営巣防止装置１０Ａの構成を示した図である。
【図５】第２の実施の形態である営巣防止装置１０Ａの使用状態を示した図である。
【図６】従来の放射型鳥害防止装置３０の構成を示した図である。
【符号の説明】
【００４９】
１０，１０Ａ…営巣防止装置、１１ａ，１１ｂ…バンド、１２ａ，１２ｂ…バンド通し部、１３…本体部、１４…ボルト、１４Ａ…ボルト開口部、１４Ｂ…部材、１５，１５Ａ…細線、１６…ナット、２０Ａ，２０Ｂ，２０Ｃ…鉄塔材
【図１】
2007159537.tif 000003
【図２】
2007159537.tif 000004
【図３】
2007159537.tif 000005
【図４】
2007159537.tif 000006
【図５】
2007159537.tif 000007
【図６】
2007159537.tif 000008